(57)【要約】【課題】コンテンツ画像とユーザ画像とを組み合わせた画像を提供する。【解決手段】画像データ提供装置１は、ユーザ端末３からユーザ画像を受信する受信部１１と、コンテンツ画像及び前記ユーザ画像を記憶する記憶部Ｍと、ユーザによる前記コンテンツ画像及び前記ユーザ画像を用いた編集操作を受け付け、前記コンテンツ画像及び前記ユーザ画像を組み合わせた合成画像を生成する編集処理部１２と、を備える。【選択図】図１
2018107512.tif 000002
【特許請求の範囲】
【請求項１】
ユーザ端末からユーザ画像を受信する受信部と、
コンテンツ画像及び前記ユーザ画像を記憶する記憶部と、
ユーザによる前記コンテンツ画像及び前記ユーザ画像を用いた編集操作を受け付け、前記コンテンツ画像及び前記ユーザ画像を組み合わせた合成画像を生成する編集処理部と、
を備える画像データ提供装置。
【請求項２】
前記記憶部は、テンプレート画像を記憶し、
前記編集操作は、前記コンテンツ画像、前記ユーザ画像及びテンプレート画像の選択を含み、
前記編集処理部は、選択された前記コンテンツ画像、前記ユーザ画像及び前記テンプレート画像を組み合わせて前記合成画像を生成することを特徴とする請求項１に記載の画像データ提供装置。
【請求項３】
前記合成画像に前記ユーザ画像が含まれている場合は考査が必要であると判定し、前記合成画像に前記ユーザ画像が含まれていない場合は考査が不要であると判定する判定部をさらに備えることを特徴とする請求項１又は２に記載の画像データ提供装置。
【請求項４】
請求項１乃至３のいずれかに記載の画像データ提供装置と、
前記合成画像を物品に印画して印画物を作製するプリンタと、
を備える印画物作製システム。
【発明の詳細な説明】
【技術分野】
【０００１】
本発明は、画像データ提供装置及び印画物作製システムに関する。
【背景技術】
【０００２】
従来、デジタルカメラやスマートフォン等で撮影した画像を、ネットワーク上にアップロードして保存することが行われている。また、アップロードした画像をプリントして、カレンダーやフォトブック等を作製するサービスが知られている。
【先行技術文献】
【特許文献】
【０００３】
【特許文献１】特開２０１６−３１５９０号公報
【発明の概要】
【発明が解決しようとする課題】
【０００４】
ライセンサが提供している有料の画像（コンテンツ画像）と、ユーザがアップロードした画像（ユーザ画像）とを組み合わせてフォトブック等を作製したいというニーズが存在する。本発明は、コンテンツ画像とユーザ画像とを組み合わせた画像を提供する画像データ提供装置、及びこの画像を物品に印画した印画物を作製する印画物作製システムを提供することを課題とする。
【課題を解決するための手段】
【０００５】
本発明による画像データ提供装置は、ユーザ端末からユーザ画像を受信する受信部と、コンテンツ画像及び前記ユーザ画像を記憶する記憶部と、ユーザによる前記コンテンツ画像及び前記ユーザ画像を用いた編集操作を受け付け、前記コンテンツ画像及び前記ユーザ画像を組み合わせた合成画像を生成する編集処理部と、を備えるものである。
【０００６】
本発明の一態様において、前記記憶部は、テンプレート画像を記憶し、前記編集操作は、前記コンテンツ画像、前記ユーザ画像及びテンプレート画像の選択を含み、前記編集処理部は、選択された前記コンテンツ画像、前記ユーザ画像及び前記テンプレート画像を組み合わせて前記合成画像を生成する。
【０００７】
本発明の一態様では、前記合成画像に前記ユーザ画像が含まれている場合は考査が必要であると判定し、前記合成画像に前記ユーザ画像が含まれていない場合は考査が不要であると判定する判定部をさらに備える。
【０００８】
本発明による印画物作製システムは、本発明の画像データ提供装置と、前記合成画像を物品に印画して印画物を作製するプリンタと、を備えるものである。
【発明の効果】
【０００９】
本発明によれば、コンテンツ画像とユーザ画像とを組み合わせた画像を提供することができる。また、コンテンツ画像とユーザ画像とを組み合わせた画像を物品に印画した印画物を作製することができる。
【図面の簡単な説明】
【００１０】
【図１】本発明の実施形態に係る印画物作製システムの概略図である。
【図２】同実施形態に係る画像データ提供装置の構成及び機能ブロックを示す図である。
【図３】同実施形態に係る印画物作製方法を説明するフローチャートである。
【図４】（ａ）はテンプレートの例を示す図であり、（ｂ）はコンテンツ画像選択画面の例を示す図であり、（ｃ）はユーザ画像選択画面の例を示す図であり、（ｄ）は合成画像の例を示す図である。
【発明を実施するための形態】
【００１１】
以下、本発明の実施の形態を図面に基づいて説明する。
【００１２】
図１に示すように、本発明の実施形態に係る印画物作製システムは、画像データ提供装置１を有し、ライセンサ端末２から登録された有料のコンテンツ画像と、ユーザ端末３からアップロードされたユーザ画像とを保存する。画像データ提供装置１は、インターネット等の通信ネットワークを介して、ライセンサ端末２及びユーザ端末３と通信可能となっている。
【００１３】
ライセンサ端末２は、例えばＰＣ（パーソナルコンピュータ）である。ユーザ端末３は、ＰＣ、スマートフォン、タブレット端末等である。コンテンツ画像は、スポーツ選手や芸能人の写真、プロカメラマンが撮影したスポーツ大会の写真、アニメや漫画のキャラクター画像等である。ユーザ画像は、例えば、ユーザがデジタルカメラやスマートフォン等で撮影した画像である。
【００１４】
ユーザは、自身がアップロードしたユーザ画像と、有料のコンテンツ画像とを選択し、好みのテンプレートと合成する編集操作を行う。ユーザが、編集操作により作成した合成画像を印画する物品や個数を選択し、料金の支払いを行い、プリント注文を完了すると、画像データ提供装置１は、注文内容を含むプリントデータを工場５へ送信する。
【００１５】
プリントデータが工場５へ送信される前に、サービス提供者が考査端末４を用いて、プリントデータに含まれるユーザ画像の考査を行う。ユーザにより登録されるユーザ画像は、著作権等の問題を有していたり、公序良俗に反していたりする可能性があるため、考査により適切な画像であるか否かが判定される。
【００１６】
工場５に設置されたプリンタ（図示略）は、受信したプリントデータに基づいて印画処理を行い、指定された物品に合成画像を印画して印画物６を作製する。作製される印画物６は、写真、ポスター、カレンダー、フォトブック、バッチ、マグカップなどである。工場５で作製された印画物は、ユーザへ配送される。
【００１７】
このように、本実施形態によれば、ライセンサにより提供されたコンテンツ画像と、ユーザがアップロードしたユーザ画像とを組み合わせた画像を物品に印画して、印画物６を作製することができる。
【００１８】
次に、画像データ提供装置１の構成について説明する。画像データ提供装置１は、ライセンサ端末２やユーザ端末３から画像データを受信し、画像編集画面を生成してユーザ端末３へ送信し、画像編集により生成された合成画像のデータを工場５へ送信する処理を行うものである。
【００１９】
図２に示すように、画像データ提供装置１は、制御部１０、記憶部Ｍ、及び通信部１９を備える。制御部１０は、画像データ提供装置１の全体を制御する中央処理装置（ＣＰＵ）である。制御部１０は、記憶部Ｍに記憶されているオペレーティングシステム（ＯＳ）やアプリケーションプログラムを読み出して実行することにより、各種機能を実現する。
【００２０】
記憶部Ｍは、制御部１０が各種の処理を実行するために必要なプログラムやデータ等を記憶するための記憶領域であり、ハードディスクや半導体メモリ等が用いられる。記憶部Ｍは、コンテンツ画像ＤＢ１５、ユーザ画像ＤＢ１６、テンプレートＤＢ１７及び合成画像ＤＢ１８を有する。テンプレートＤＢ１７は、テンプレートを記憶する記憶領域である。テンプレートは、コンテンツ画像やユーザ画像と合成される画像であり、コンテンツ画像やユーザ画像の配置位置を指定するものや、前景画像、背景画像、スタンプ等の編集アイテムを含む。
【００２１】
制御部１０は、画像データ受信部１１、編集処理部１２、考査要否判定部１３及び考査処理部１４を備える。画像データ受信部１１は、通信部１９を用いて、ライセンサ端末２からコンテンツ画像のデータを受信する。画像データ受信部１１が受信したコンテンツ画像のデータは、コンテンツ画像ＤＢ１５に格納される。
【００２２】
また、画像データ受信部１１は、通信部１９を用いて、ユーザ端末３からユーザ画像のデータを受信する。画像データ受信部１１は、受信したユーザ画像の解像度やデータサイズを確認し、登録可否を判定する。登録可と判定されたユーザ画像データは、ユーザ画像ＤＢ１６に格納される。ユーザ画像ＤＢ１６は、ユーザ画像と、ユーザ画像を登録（アップロード）したユーザのＩＤ等とを対応付けて格納する。後述の編集操作において、各ユーザは、自身が登録したユーザ画像を使用できるが、他ユーザが登録したユーザ画像は使用できないようになっている。
【００２３】
編集処理部１２は、テンプレート、コンテンツ画像、ユーザ画像等を選択する処理、選択した画像をテンプレート内に配置する処理等の画像編集が可能な編集画面を生成し、通信部１９を用いてユーザ端末３へ送信する。編集処理部１２は、ユーザがユーザ端末３を用いて編集画面で行った編集操作を受け付け、テンプレート、コンテンツ画像、ユーザ画像等が組み合わされた合成画像を生成する。生成された合成画像のデータは、合成画像ＤＢ１８に格納される。
【００２４】
また、編集処理部１２は、ユーザ端末３から、合成画像を印画する物品の選択や、作製する印画物６の数などの注文を受け付ける。注文が完了すると、必要に応じて、決済部（図示略）が決済処理を行う。
【００２５】
考査要否判定部１３は、印画物６の作製前に、合成画像の考査が必要か否かを判定する。考査要否判定部１３は、合成画像にユーザ画像が含まれている場合、考査が必要であると判定し、ユーザ画像が含まれていない場合、考査が不要であると判定する。
【００２６】
考査が必要であると判定した場合、画像データ提供装置１は、考査対象データが存在することをサービス提供者に通知する。サービス提供者は、考査端末４を用いて、画像データ提供装置１の考査処理部１４にて考査を実施する。考査端末４は、例えばディスプレイを有するコンピュータであり、サービス提供者が、考査対象の画像をディスプレイに表示し、問題がないか確認する。
【００２７】
画像データ提供装置１は、ユーザの編集操作で生成された合成画像や注文内容を含むプリントデータを工場５へ送信する。
【００２８】
次に、本実施形態による印画物作製方法を図３に示すフローチャートを用いて説明する。ここでは、マラソン大会に参加したユーザが印画物を作製する例について説明する。
【００２９】
マラソン大会の様子がプロカメラマンにより多数撮影され、マラソン大会終了後、大会主催者が、プロカメラマンが撮影した画像（コンテンツ画像）を登録する（ステップＳ１）。
【００３０】
ユーザが、ユーザ端末３を用いて、マラソン大会の前後で自身のデジタルカメラやスマートフォン等で撮影した画像（ユーザ画像）を登録する（ステップＳ２）。
【００３１】
ユーザは、ユーザ端末３に表示された編集画面を操作して、図４（ａ）に示すようなテンプレートを選択する。次に、ユーザは、図４（ｂ）に示すようなコンテンツ画像選択画面から、プリントしたいコンテンツ画像を選択する。例えば、ユーザ自身が写っているコンテンツ画像を選択する。
【００３２】
また、ユーザは、図４（ｃ）に示すようなユーザ画像選択画面から、プリントしたいユーザ画像を選択する。例えば、友人や家族と一緒に撮ったユーザ画像を選択する。
【００３３】
ユーザが、テンプレート内での選択画像の配置位置を指定することで、図４（ｄ）に示すような合成画像が生成される（ステップＳ３）。画像の配置方法は任意である。例えば、ユーザが選択した画像を編集処理部１２がテンプレート内に自動配置し、ユーザが自動配置された位置を適宜変更する。
【００３４】
画像編集及びプリント注文が完了すると、決済処理が行われる（ステップＳ４）。
【００３５】
プリントデータにユーザ画像が含まれていない場合（ステップＳ５＿Ｎｏ）、すなわちテンプレートやライセンサから提供されたコンテンツ画像しか利用されていない場合は、考査が不要であるので、合成画像データ及び注文内容を含むプリントデータが工場５へ送信される。
【００３６】
プリントデータにユーザ画像が含まれている場合（ステップＳ５＿Ｙｅｓ）、ユーザ画像が適切な物であるか否か考査が行われる。ユーザ画像が適切であり、印画物６を作製してもよいと判断された場合（ステップＳ６＿Ｙｅｓ）、プリントデータが工場５へ送信される。
【００３７】
工場５では、プリントデータに基づいて、プリンタが合成画像を指定物品に印画して、印画物６を作製する（ステップＳ７）。
【００３８】
考査において、ユーザ画像が不適切であり印画物６を作製できないと判断された場合（ステップＳ６＿Ｎｏ）、画像データ提供装置１又は考査端末４からユーザ端末３へ、注文キャンセルを通知する。
【００３９】
このように、本実施形態によれば、ライセンサから提供されたコンテンツ画像と、ユーザがアップロードしたユーザ画像とを組み合わせた画像を印画した印画物を作製することができる。
【００４０】
上記実施形態では、マラソン大会中にプロカメラマンが撮影したユーザ自身の写真をコンテンツ画像としたが、例えばプロスポーツの試合中の選手をプロカメラマンが撮影したコンテンツ画像と、試合を観戦したユーザが当日に撮影したユーザ画像とを組み合わせて、観戦記念の画像を作成してもよい。
【００４１】
また、コンサート中のアーティストを撮影したコンテンツ画像と、コンサート会場でユーザが撮影したユーザ画像とを組み合わせて、コンサート観賞記念の画像を作成してもよい。
【００４２】
また、アニメや漫画のキャラクターのコンテンツ画像と、漫画の舞台になった場所をユーザが訪問して撮影したユーザ画像とを組み合わせて、旅行の記念になる画像を作成してもよい。
【００４３】
上記実施形態では、ユーザ画像を考査端末４のディスプレイに表示し、サービス提供者が目視確認して考査を行っていたが、画像データ提供装置１が所定の考査条件に基づいて印画物の製造可否を自動判定してもよい。
【００４４】
上記実施形態では、画像データ提供装置１が生成した合成画像を物品に印画する例について説明したが、合成画像データをユーザ端末３へ送信してもよい。
【００４５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００４６】
１  画像データ提供装置
２  ライセンサ端末
３  ユーザ端末
４  考査端末
５  工場
６  印画物
１０  制御部
１１  画像データ受信部
１２  編集処理部
１３  考査要否判定部
１４  考査処理部
１９  通信部
【図１】
2018107512.tif 000003
【図２】
2018107512.tif 000004
【図３】
2018107512.tif 000005
【図４】
2018107512.tif 000006